(57)【要約】【課題】加圧エアの導入量を必要最小限に抑えながら、手動でカフ帯を適切に腕等に巻き付けることのできる、構成の単純な、低コスト化・軽量化の可能なアームイン式の血圧計を提供する。【解決手段】腕を挿入する固定ドラム１１と、固定ドラムの内周に沿ってスライド自在に設けられた半円筒状の回転ドラム２０と、固定ドラムの外側からの手動操作により回転ドラムをスライドさせるレバー５０と、回転ドラムの内周に沿って湾曲状態で配されたカフ帯３０と、カフ帯を腕等の被測定部位に巻き付けた状態でのレバー５０の回動により回転ドラムを固定ドラムにロックするロック機構と、を具備する。【選択図】図１
2008054867.tif 000002
【特許請求の範囲】
【請求項１】
腕等の被測定部位を挿入するための挿入孔を有する筒状の固定ドラムと、
該固定ドラムの内周に沿ってスライド自在に設けられた可動部材と、
該可動部材に取り付けられ、前記固定ドラムの外側からの手動操作により可動部材をスライドさせるレバーと、
前記固定ドラムの内周に沿って湾曲状態で配されると共に、拡径方向の弾性復元力を持ち、且つ、基端が固定端として前記固定ドラムの周方向の一点に固定され、先端が可動端として前記可動部材に連結され、初期の拡径状態から前記可動端が固定ドラムの内周に沿って移動させられることで、全体が縮径させられて、前記腕等の被測定部位に巻き付くカフ帯と、
該カフ帯を腕等の被測定部位に巻き付けた状態で前記可動部材を前記固定ドラムにロックするロック機構と、
を具備することを特徴とする血圧計。
【請求項２】
請求項１に記載の血圧計であって、
前記レバーが、その基端部が軸で前記可動部材に連結されることにより、前記可動部材のスライドする面内において、前記カフ帯の巻き戻し方向の第１の移動限とカフ帯の巻き付け方向の第２の移動限との間で回動できるように設けられ、且つ、スプリングによって、前記第１の移動限と第２の移動限の中間点を境にして、第１の移動限に近い側に位置するときは第１の移動限に向かう付勢力を受け、第２の移動限に近い側に位置するときは第２の移動限に向かう付勢力を受けるように構成されており、
さらに、前記レバーが前記第２の移動限に位置したときに、前記ロック機構がロック作動するように構成されていることを特徴とする血圧計。
【請求項３】
請求項２に記載の血圧計であって、
前記ロック機構が、前記レバーに形成された係合爪と、前記固定ドラムに形成され、前記レバーが第２の移動限に位置したときに前記係合爪と係合する係合歯と、から構成されていることを特徴とする血圧計。
【請求項４】
請求項３に記載の血圧計であって、
前記係合爪と係合歯の関係が、前記腕等の被測定部位に前記カフ帯が巻き付いた状態でカフ帯に拡径方向の力が作用したとき、カフ帯から前記可動部材を介して前記レバーに伝わる力が、係合爪と係合歯の係合を強める方向に作用するように設定されていることを特徴とする血圧計。
【請求項５】
請求項３または４に記載の血圧計であって、
前記可動部材に連結されたレバーの操作端が、前記固定ドラムの周壁に形成した溝から固定ドラムの外部に突出しており、その溝の両側の固定ドラムの内周壁に前記係合歯が形成されていることを特徴とする血圧計。
【請求項６】
請求項１〜５のいずれか１項に記載の血圧計であって、
前記固定ドラムの内周が円形に形成されると共に、前記可動部材が、前記固定ドラムの内周に同心に挿入された半円筒状の回転ドラムとして形成され、該回転ドラムの先端に前記カフ帯の先端が連結されていることを特徴とする血圧計。
【発明の詳細な説明】
【技術分野】
【０００１】
本発明は、被験者が腕等の被測定部位をドラムの穴の中に挿入して計測を開始する、いわゆるアームイン式の血圧計に関するものである。
【背景技術】
【０００２】
従来、被験者が腕を円筒状に巻回したカフ帯の中に通して、スイッチを押すと、自動的にカフ帯が腕に巻き付いて、血圧測定が始まるという自動血圧計（アームイン式の血圧計）が知られている。
【０００３】
この種の自動カフ帯巻付機構を備えた血圧計の中には、円筒状に巻いたカフ帯の両端を移動することでカフ帯を縮径させて腕に巻き付けるもの（例えば、特許文献１参照）と、円筒状に巻いたカフ帯の一端を固定し他端を移動することでカフ帯を縮径させて腕に巻き付けるもの（例えば、特許文献２参照）とがある。
【０００４】
前者のタイプは、カフ帯の両端を同時に引き移動するので、カフ帯の巻き付けが短時間でできる反面、巻き付け時の動力負荷が大きい。これに対し、後者のタイプは、動力負荷が小さくてすむため、負荷が大き過ぎて途中で止まってしまう等の誤作動のおそれが少ない。
【０００５】
【特許文献１】特開２００４−２５４８８２号公報
【特許文献２】特開２０００−１０７１４０号公報
【発明の開示】
【発明が解決しようとする課題】
【０００６】
ところで、従来のアームイン式の血圧計は、腕をドラムの中に挿入した状態において、自動的にカフ帯をモータの力で巻き付ける機構を備えるものであるため、構成が複雑でコスト高になると共に重量化するという問題があった。そのため、アームイン式の利点を、家庭用等の低コストタイプの血圧計において享受することができなかった。
【０００７】
また、加圧エアの力だけで、カフ帯を腕に密着させるタイプのアームイン血圧計もあるが、その場合は大量のエアが必要であるため、容量の大きなポンプを設ける必要があり、やはりコスト高になるという問題があった。
【０００８】
本発明は、上記事情を考慮し、加圧エアの導入量を必要最小限に抑えながら、カフ帯を適切に腕等に巻き付けることのできる、構成の単純な、低コスト化・軽量化の可能なアームイン式の血圧計を提供することを目的とする。
【課題を解決するための手段】
【０００９】
請求項１の発明は、腕等の被測定部位を挿入するための挿入孔を有する筒状の固定ドラムと、該固定ドラムの内周に沿ってスライド自在に設けられた可動部材と、該可動部材に取り付けられ、前記固定ドラムの外側からの手動操作により可動部材をスライドさせるレバーと、前記固定ドラムの内周に沿って湾曲状態で配されると共に、拡径方向の弾性復元力を持ち、且つ、基端が固定端として前記固定ドラムの周方向の一点に固定され、先端が可動端として前記可動部材に連結され、初期の拡径状態から前記可動端が固定ドラムの内周に沿って移動させられることで、全体が縮径させられて、前記腕等の被測定部位に巻き付くカフ帯と、該カフ帯を腕等の被測定部位に巻き付けた状態で前記可動部材を前記固定ドラムにロックするロック機構と、を具備することを特徴とする。  
【００１０】
請求項２の発明は、請求項１に記載の血圧計であって、前記レバーが、その基端部が軸で前記可動部材に連結されることにより、前記可動部材のスライドする面内において、前記カフ帯の巻き戻し方向の第１の移動限とカフ帯の巻き付け方向の第２の移動限との間で回動できるように設けられ、且つ、スプリングによって、前記第１の移動限と第２の移動限の中間点を境にして、第１の移動限に近い側に位置するときは第１の移動限に向かう付勢力を受け、第２の移動限に近い側に位置するときは第２の移動限に向かう付勢力を受けるように構成されており、さらに、前記レバーが前記第２の移動限に位置したときに、前記ロック機構がロック作動するように構成されていることを特徴とする。
【００１１】
請求項３の発明は、請求項２に記載の血圧計であって、前記ロック機構が、前記レバーに形成された係合爪と、前記固定ドラムに形成され、前記レバーが第２の移動限に位置したときに前記係合爪と係合する係合歯と、から構成されていることを特徴とする。
【００１２】
請求項４の発明は、請求項３に記載の血圧計であって、前記係合爪と係合歯の関係が、前記腕等の被測定部位に前記カフ帯が巻き付いた状態でカフ帯に拡径方向の力が作用したとき、カフ帯から前記可動部材を介して前記レバーに伝わる力が、係合爪と係合歯の係合を強める方向に作用するように設定されていることを特徴とする。  
【００１３】
請求項５の発明は、請求項３または４に記載の血圧計であって、前記可動部材に連結されたレバーの操作端が、前記固定ドラムの周壁に形成した溝から固定ドラムの外部に突出しており、その溝の両側の固定ドラムの内周壁に前記係合歯が形成されていることを特徴とする。
【００１４】
請求項６の発明は、請求項１〜５のいずれか１項に記載の血圧計であって、前記固定ドラムの内周が円形に形成されると共に、前記可動部材が、前記固定ドラムの内周に同心に挿入された半円筒状の回転ドラムとして形成され、該回転ドラムの先端に前記カフ帯の先端が連結されていることを特徴とする。
【発明の効果】
【００１５】
請求項１の発明によれば、固定ドラムの内部に腕等の被測定部位（以下では腕を代表として説明する）を挿入し、固定ドラムの外部からレバーを操作して、可動部材をスライドさせることにより、カフ帯を腕に手動で巻き付けることができる。そして、その状態でロック機構により可動部材をロックし、カフ帯にエアを導入することにより、血圧測定を開始することができる。また、血圧測定を終了したら、ロック機構によるロックを外すことにより、カフ帯自身の復元力により、カフ帯及び可動部材を初期位置に戻すことができ、その状態で腕を抜くことができる。このように、カフ帯の巻き付けと巻き戻しを全て手動で行えるため、モータ等の駆動機構を不要にすることができ、その分のコスト低減と軽量化を図ることができる。また、カフ帯を予め腕に巻き付けてからカフ帯に加圧エアを導入する形式なので、加圧エアの導入量を最小限に抑えることができ、加圧ポンプの容量の低減によるコストダウンも図れる。
【００１６】
また、固定ドラムの外部からレバーを操作するだけで、カフ帯を腕等に巻き付けることができるので、操作しやすいし、固定ドラムの内周をガイドにしながらカフ帯の可動端を移動させることができるので、スムーズにカフ帯を縮径・拡径させることができて、腕に対しカフ帯をスムーズに巻き付けることができる。また、固定ドラムがカフ帯を覆い隠しているので、持ち運びする際などにカフ帯を損傷するおそれもない。また、固定ドラムの内周に沿って配されたカフ帯が、自身の復元力で常に拡径方向に付勢されているので、腕を挿入するための挿入孔の口径を大きく保つことができ、腕の太い人でも挿入しやすくなる。
【００１７】
請求項２の発明によれば、第１の移動限に位置するレバーを手で押すことにより、可動部材をカフ帯の巻き付け方向にスライドさせることができる。その際、レバーは、スプリングによって第１の移動限に向けて付勢されているので、その付勢力を超えない範囲の力でレバーを押す限りにおいては、レバーは第１の移動限に保持されたままとなる。そして、可動部材のスライドによりカフ帯が腕に巻き付き、その結果として、レバー操作の抵抗力がスプリングの付勢力を超えると、レバーが第１の移動限から第２の移動限に向けて回動し、第１の移動限と第２の移動限の中間点を超えた段階で、今度は、スプリングによる第２の移動限に向けての付勢力を受けて、レバーが第２の移動限まで自ら回動して止まる。この第２の移動限にレバーが回動した段階で、ロック機構がロック作動するので、可動部材が固定ドラムに固定され、カフ帯が腕に巻き付いた状態で保持される。
【００１８】
このように第１の移動限から第２の移動限にレバーが回動する際には、第１の移動限に向けてのスプリングの付勢力を超える力でレバーを押し操作することになるので、スプリングの付勢力に見合った力を、初期締め付け力としてカフ帯に付与することができる。従って、カフ帯に初期締め付け力を付与できる分だけ、加圧エアの導入量を少なくすることができ、それだけ設定圧力に至らせるためのエア導入時間の短縮を図ることができる。また、初期締め付け力として付与するスプリングの付勢力に見合った力は、予め計算できる力であり、ほぼ一定の力であるから、初期締め付け力が大きくバラつくこともなく、その後の加圧エアの導入を安定して行うことができる。
【００１９】
次に血圧測定を終えて、レバーを第１の移動限に向けて回動させることによりロックを外すと、カフ帯の自身の復元力により、カフ帯及び可動部材が初期位置に戻る。
【００２０】
請求項３の発明によれば、レバーに形成された係合爪と、固定ドラムに形成された係合歯の組み合わせでロック機構を構成しているので、レバーが第２の移動限に回動すると同時に、自動的に係合爪が係合歯に係合してロック状態が達成される。従って、構造が単純でコスト低減に寄与することができる。
【００２１】
請求項４の発明によれば、腕等の被測定部位にカフ帯を巻き付けた状態でカフ帯に加圧エアを導入した際に、カフ帯には拡径方向の力が作用することになるが、そのときには係合爪と係合歯の係合が強まる設定となっているので、カフ帯を巻き付け位置に弛みなく確実に保持しておくことができ、信頼性の向上が図れる。
【００２２】
請求項５の発明によれば、固定ドラムの周壁の溝から突出したレバーの操作端を手で操作することによって、スムーズに可動部材をスライドさせることができ、カフ帯の巻き付けと巻き戻しを行うことができる。また、溝の両側の固定ドラムの内周壁に係合歯を形成しているので、レバーのロックを強固に行うことができる。
【００２３】
請求項６の発明によれば、可動部材として、固定ドラムの内周に同心に挿入された半円筒状の回転ドラムを使用しているので、可動部材の安定的なスライド動作を保証することができるし、回転ドラムの滑らかな内周面に沿ってカフ帯が配されることになるので、カフ帯の保護性も高まる。
【発明を実施するための最良の形態】
【００２４】
以下、本発明の実施形態を図面に基づいて説明する。
図１は実施形態の血圧計の外観を示す概略斜視図、図２は同血圧計の正面図である。
【００２５】
この血圧計は、図１、図２に示すように、血圧計本体１０の上部に、腕Ｍを挿入するための挿入孔１２を有する剛体構造の円筒状の固定ドラム１１を一体に設けたアームイン式のものである。血圧計本体１０は、図示省略するが、外面上に操作スイッチやディスプレイ等の付いた操作パネルを備えると共に、内部に、エアポンプ、エアタンク、圧力センサ、排気制御弁等を備えている。
【００２６】
固定ドラム１１の内周には、ドラム内周壁に形成されたガイドレール１５に沿って、矢印Ａ、Ｂ方向にスライド自在に半筒状の回転ドラム（可動部材）２０が同心に挿入されており、回転ドラム２０には、固定ドラム１１の外側からの手動操作により回転ドラム２０をスライドさせるレバー５０が取り付けられている。
【００２７】
回転ドラム２０の内周には、カフスプリング３１と、その内周側に配されたブラダー（空気袋）３２とからなるカフ帯３０が配されている。硬質樹脂シート等よりなるカフスプリング３１は、回転ドラム２０の内周に沿って湾曲状態で配されており、拡径方向の弾性復元力を持っている。カフ帯３０は、基端が固定端として、固定ドラム１１の内底部に設けた腕載せ台１３の右側部の固定点１４に固定され、先端が可動端として、回転ドラム２０の先端２１に連結されている。そして、初期の拡径状態から、回転ドラム２０と一体の可動端が固定ドラムの内周に沿って移動させられることで、全体が縮径させられて、腕等の被測定部位（以下では腕Ｍを代表とする）に巻き付くようになっている。
【００２８】
図３はレバー５０の取付部分の詳細構造を示す斜視図、図４はその部分の側面図、図５はレバーの作動状態を順を追って示す側面図である。
【００２９】
レバー５０は、図３に示すように、その基端の円柱部５０ａに設けた回転軸５１を、回転ドラム２０のホルダ２５に設けた軸孔２６に嵌めることで、回転ドラム２０に連結されており、その回転軸５１を中心にして、回転ドラム２０のスライドする面内において、カフ帯３０の巻き戻し方向（矢印Ｄ方向）の第１の移動限〔図５の（ａ）の位置〕とカフ帯３０の巻き付け方向（矢印Ｃ方向）の第２の移動限〔図５の（ｃ）の位置〕との間で自由に回動できるようになっている。
【００３０】
また、レバー５０は、基端の円柱部５０ａから半径方向外方に突出する、互いに角度の開いた操作片５０ｂと係合片５０ｃとを有しており、操作片５０ｂの先端が操作端として、図１に示すように、固定ドラム１１の周壁に形成した溝１６から外部に突出している。また、係合片５０ｃは、固定ドラム１１の内側に位置しており、その先端に形成した係合爪５２が、レバー５０の矢印Ｃ方向への回動によって、前記溝１６の両側の固定ドラム１１の内周壁に形成した係合歯１８に係合するようになっている。
【００３１】
本実施形態では、これら係合爪５２と係合歯１８によって、カフ帯３０を腕Ｍに巻き付けた状態で回転ドラム２０を固定ドラム１１にロックするロック機構が構成されており、レバー５０が第２の移動限である図５（ｃ）に示す位置まで回動したとき、係合爪５２が係合歯１８に噛み合って、ロックが達成される。
【００３２】
この場合、第２の移動限は、係合爪５２が係合歯１８に噛み合うことで決定され、第１の移動限は、係合片５０ｃの両側面に突設した腕５３が、ホルダ２５のストッパ部２７に当たることで決定される。
【００３３】
また、レバー５０と回動ドラム２０との間には、レバー５０を回動付勢するためのテンションスプリング６０が配設されている。テンションスプリング６０は、両端が、レバー５０側の腕５３と、回転ドラム２０側の止め孔２４に係止されることで張設されており、両端係止点とレバー５０の回転軸５１との位置関係により、第１の移動限と第２の移動限の中間点を境にして、レバー５０が第１の移動限に近い側に位置するときは、レバー５０に第１の移動限に向かう付勢力を付与し、レバー５０が第２の移動限に近い側に位置するときは、レバー５０に第２の移動限に向かう付勢力を付与するようになっている。
【００３４】
即ち、固定点（スプリング６０の基端を回転ドラム２０の止め孔２４に係止した点）と、レバー５０の回転中心（回転軸５１の中心）と、作用点（スプリング６０の先端をレバー５０の腕５３に係止した点）との位置関係から、図５（ａ）に示すように、作用点が固定点と回転中心を結ぶ線Ｌよりも下側にあるときは、スプリング６０は、作用点に下向きの力Ｐ１を付与し、レバー５０を第１の移動限に向けて押し付ける。また、作用点が固定点と回転中心を結ぶ線Ｌ上にある（ｂ）の位置を境にして、（ｃ）に示すように、作用点が固定点と回転中心を結ぶ線Ｌよりも上側にあるときは、スプリング６０は、作用点に上向きの力Ｐ２を付与し、レバー５０を第２の移動限に向けて押し付けるようになっている。
【００３５】
なお、回転ドラム２０には、テンションスプリング６０の中間部分との干渉を避けるための開口２３が設けられている。
【００３６】
また、係合爪５２と係合歯１８の関係は、腕にカフ帯３０が巻き付いた状態でカフ帯３０に拡径方向の力が作用したとき、カフ帯３０から回転ドラム２０を介してレバー５０に伝わる力が、係合爪５２と係合歯１８の係合を強める方向に作用するように設定されている。
【００３７】
次に作用を説明する。
血圧を測定する場合は、左腕を固定ドラム１１の中に挿入し、腕載せ台１３の上に載せる。次に右手でレバー５０の操作片５０ｂを摘み、レバー５０を矢印Ａ方向に移動させる。レバー５０を移動させると、回転ドラム２０がガイドレール１５に沿って移動し、回転ドラム２０の先端２１に連結されたカフ帯３０の先端が一緒に移動し、カフ帯３０が腕Ｍに巻き付く。完全に腕Ｍに巻き付くと、それ以上は巻き付けできなくなる。これまでの段階において、レバー５０は、テンションスプリング６０の付勢作用により、図５（ａ）の位置（第１の移動限）に保持されている。
【００３８】
その状態で、さらにレバー５０に同じ方向の力を加えると、レバー５０がテンションスプリング６０の付勢力に抗して矢印Ｃ方向に回転する。即ち、カフ帯３０が腕Ｍに巻き付いて回転ドラム２０が止まることにより、レバー５０を押し操作する上での抵抗力がテンションスプリング６０の付勢力を超えることになり、そのことによって、レバー５０が第１の移動限から第２の移動限に向けて回動する。
【００３９】
図５（ｂ）に示すように、前述した固定点（スプリング６０の基端を回転ドラム２０の止め孔２４に係止した点）と、レバー５０の回転中心（回転軸５１の中心）と、作用点（スプリング６０の先端をレバー５０の腕５３に係止した点）が一直線上になったときから、更にレバー５０を押すと、レバー５０は、第１の移動限と第２の移動限の中間点を超えた段階で、今度は、テンションスプリング６０による第２の移動限に向けての付勢力を受けて、（ｃ）に示すように、レバー５０が第２の移動限まで自ら回動して止まる。このとき、係合爪５２が係合歯１８に噛み合うことで、レバー５０は固定ドラム１１にロックされ、カフ帯３０が腕Ｍに巻き付いた状態で保持される。
【００４０】
このように第１の移動限から第２の移動限にレバー５０が回動する際には、第１の移動限に向けてのテンションスプリング６０の付勢力を超える力でレバー５０を押し操作することになるので、テンションスプリング６０の付勢力に見合った力を、初期締め付け力として、カフ帯３０に付与することができる。従って、カフ帯３０に初期締め付け力を付与できる分だけ、加圧エアの導入量を少なくすることができ、それだけ設定圧力に至らせるためのエア導入時間の短縮を図ることができる。
【００４１】
また、初期締め付け力として付与するテンションスプリング６０の付勢力に見合った力は、予め計算できる力であり、ほぼ一定の力であるから、初期締め付け力が大きくバラつくこともなく、その後の加圧エアの導入を安定して行うことができる。この初期締め付け力は、テンションスプリング６０の力を適当に設定することで、自由に変えることができる。
【００４２】
そして、このような締め付け状態で、カフ帯３０のブラダー３２に加圧エアを導入することにより、血圧測定を開始することができる。
【００４３】
この場合、回転ドラム２０には、ブラダー３２に注入された空気圧により、矢印Ｂ方向に戻ろうとする力を受けるが、そのときには係合爪５２と係合歯１８の係合が強まる設定となっているので、カフ帯３０を巻き付け位置に弛みなく確実に保持しておくことができ、信頼性の向上が図れる。
【００４４】
測定を終えたら、レバー５０を右手で矢印Ｄ方向に戻す。そうすると、係合爪５２と係合歯１８の噛み合いが解除され、再びレバー５０が第１の移動限に戻る〔図５（ａ）の位置に戻る〕ので、そのままレバー５０を押して初期位置に戻せば、回転ドラム２０とカフ帯３０を元の位置に戻すことができ、その状態で腕Ｍを固定ドラム１１から抜くことができる。この場合、カフスプリング３１の復元力により、回転ドラム２０は自動的に矢印Ｂ方向に回転して初期位置に戻る。
【００４５】
このように、カフ帯３０の巻き付けと巻き戻しを全て手動で行えるため、モータ等の駆動機構を不要にすることができ、その分のコスト低減と軽量化を図ることができる。また、カフ帯３０を予め腕Ｍに巻き付けてからカフ帯３０に加圧エアを導入する形式なので、加圧エアの導入量を最小限に抑えることができ、加圧ポンプの容量の低減によるコストダウンも図れる。
【００４６】
また、固定ドラム１１の外部からレバー５０を操作するだけで、カフ帯３０を腕Ｍに巻き付けることができるので、操作しやすいし、固定ドラム１１の内周をガイドにしながらカフ帯３０の可動端を移動させることができるので、スムーズにカフ帯３０を縮径・拡径させることができて、腕Ｍに対しカフ帯３０をスムーズに巻き付けることができる。
【００４７】
また、固定ドラム１１がカフ帯３０を覆い隠しているので、持ち運びする際などにカフ帯３０を損傷するおそれもない。また、固定ドラム１１の内周に沿って配されたカフ帯３０が、自身の復元力で常に拡径方向に付勢されているので、腕Ｍを挿入するための挿入孔の口径を大きく保つことができ、腕Ｍの太い人でも挿入しやすくなる。
【００４８】
また、本実施形態の血圧計では、レバー５０に形成された係合爪５２と、固定ドラム１１に形成された係合歯１８の組み合わせでロック機構を構成しているので、レバー５０が第２の移動限に回動すると同時に、自動的に係合爪５２が係合歯１８に係合してロック状態が達成される。従って、構造が単純でコスト低減に寄与することができる。また、固定ドラム１１の溝１６の両側に、レバー５０の係合爪５２の係合する係合歯１８を形成しているので、レバー５０のロックを強固に確実に行うことができる。
【００４９】
また、可動部材は、半円筒状までの長さを有しないブロック状あるいはピース状のものでも何でも採用可能であるが、本実施形態の血圧計では、固定ドラム１１の内周に同心に挿入された半円筒状の回転ドラム２０を採用しているので、可動部材の安定的なスライド動作を保証することができるし、回転ドラム２０の滑らかな内周面でカフ帯３０を安全に保護することができる。
【００５０】
なお、上記実施形態では、レバー５０を回動付勢するスプリングとして、テンションスプリングを使用した場合を示したが、図６に示すように、トーションスプリング（捩りバネ）６０Ｂを使用してもよい。
【００５１】
この場合は、トーションスプリング６０Ｂの一端を回転ドラム側の固定点２４Ｂに係止し、他端をレバー５０の腕５３に係止しており、トーションスプリング６０Ｂの反発力ｆ１、ｆ２が２つの係止点に作用している。そして、図６（ａ）に示すように、作用点（腕５３に係止している点）が、固定点２４Ｂと回転中心（回転軸５１の中心）を結ぶ直線Ｌより下側にあるときは、レバー５０に図中右回りの力Ｐが作用し、レバー５０は第１の移動限に向けて付勢される。また、図６（ｂ）に示すように、作用点（腕５３に係止している点）が、固定点２４Ｂと回転中心（回転軸５１の中心）を結ぶ直線Ｌより上側にあるときは、レバー５０に図中左回りの力（矢印Ｃ方向の力）が作用し、レバー５０は第２の移動限に向けて付勢される。
【００５２】
また、トーションスプリングの代わりに、図７に示すように、板バネ７０を使用することもできる。図７の（ａ）、（ｂ）は回転付勢力の方向が逆転した状態を示す図、（ａ’）、（ｂ’）は力の方向を分析して示す図である。
【００５３】
この板バネ７０は、全体が力ｆ２でレバー５０の腕５３を図中左向きに押しており、（ａ’）、（ｂ’）に示すように、力ｆ２の作用する点（腕５３）とレバー５０の回転中心（回転軸５１）との関係で、逆方向の付勢力Ｐ１、Ｐ２を発生する。板バネ７０には、レバー５０が第１の移動限にあるときと第２の移動限にあるときとに腕５３と係合する凹部７１、７２を設けてあり、その位置で板バネ７０と腕５３との係合の安定を得るようになっている。
【００５４】
図８は板バネを使用する場合の変形例を示している。
この例における板バネ７０Ｂは、レバー５０に設けた突起状の腕５３Ｂに接触することにより、力ｆ２で腕５３Ｂを図中左向きに押している。また、板バネ７０Ｂの中間に膨らみ部７５を設けることで、腕５３Ｂに対する付勢力の方向の反転をスムーズに行えるようにしている。
【００５５】
上記のように各種のスプリングの採用によっても、前述したものと同様の付勢作用をレバー５０に与えることができる。
【００５６】
なお、上記の説明では触れなかったが、回転ドラム２０の移動位置を回転センサ等で検出し、腕Ｍの径を測定することも可能であり、その測定データを血圧演算の際に取り込むことで、腕の径による血圧値の補正も可能である。
【００５７】
また、レバー５０の作動状態を電気的なスイッチで検出することにより、レバー５０がロックすると同時に、血圧測定の動作がスタートするように構成することもできる。そうすれば、レバー５０が測定スタートボタンの機能を果たすことにもなる。
【図面の簡単な説明】
【００５８】
【図１】本発明の実施形態の血圧計の外観を示す概略斜視図である。
【図２】同血圧計の正面図である。
【図３】同血圧計におけるレバーの取付部分の詳細構造を示す斜視図である。
【図４】同レバーの取付部分の詳細構造を示す側面図である。
【図５】（ａ）〜（ｃ）は同レバーの作動状態を順を追って示す側面図である。
【図６】レバー付勢用のスプリングとしてトーションスプリングを使用した例を示す図で、（ａ）は第１の移動限に向かう付勢力が作用しているときの状態を示す図、（ｂ）は第２の移動限に向かう付勢力が作用しているときの状態を示す図である。
【図７】レバー付勢用のスプリングとして板バネを使用した例を示す図で、（ａ）は第１の移動限に向かう付勢力が作用しているときの状態を示す図、（ａ’）はそのときの力の関係を示す原理図、（ｂ）は第２の移動限に向かう付勢力が作用しているときの状態を示す図、（ｂ’）はそのときの力の関係を示す原理図である。
【図８】レバー付勢用のスプリングとして別の板バネを使用した変形例を示す図で、（ａ）は第１の移動限に向かう付勢力が作用しているときの状態を示す図、（ｂ）は第２の移動限に向かう付勢力が作用しているときの状態を示す図である。
【符号の説明】
【００５９】
Ｍ  腕
１１  固定ドラム
１２  挿入孔
１６  溝
１８  係合歯（ロック機構）
２０  回転ドラム（可動部材）
２１  先端
３０  カフ帯
３１  カフスプリング
３２  ブラダー
５０  レバー
５０ｂ  操作片（操作端）
５１  回動軸
５２  係合爪（ロック機構）
６０  テンションスプリング
６０Ｂ  トーションスプリング
７０，７０Ｂ  板バネ（スプリング）
【図１】
2008054867.tif 000003
【図２】
2008054867.tif 000004
【図３】
2008054867.tif 000005
【図４】
2008054867.tif 000006
【図５】
2008054867.tif 000007
【図６】
2008054867.tif 000008
【図７】
2008054867.tif 000009
【図８】
2008054867.tif 000010